(57)【要約】【課題】問診などにおいて医者と患者に対してそれぞれ必要な情報のみを表示するとともに、患者に見せたくない表示情報については、予め設定された医師のみが観察できるようにする。【解決手段】互いに異なる表示情報がそれぞれ異なる方向から見えるように表示可能な表示部１０と、互いの異なる表示情報のうちの特定の表示情報の観察を許可された特定観察者が予め設定された特定観察者設定部２２と、予め設定された特定観察者のみによって特定の表示情報が正常に観察されるように特定の表示情報の表示を制限する表示制御部２１とから表示装置を構成する。【選択図】図１
2012042717.tif 000002
【特許請求の範囲】
【請求項１】
互いに異なる表示情報がそれぞれ異なる方向から見えるように表示可能にし、
前記互いの異なる表示情報のうちの特定の表示情報の観察を許可された観察者を予め設定し、
該予め設定した観察者のみによって前記特定の表示情報が正常に観察可能なように前記特定の表示情報の表示を制限することを特徴とする表示方法。
【請求項２】
互いに異なる表示情報がそれぞれ異なる方向から見えるように表示可能な表示部と、
前記互いの異なる表示情報のうちの特定の表示情報の観察を許可された特定観察者が予め設定された特定観察者設定部と、
前記予め設定された特定観察者のみによって前記特定の表示情報が正常に観察されるように前記特定の表示情報の表示を制限する表示制御部とを備えたことを特徴とする表示装置。
【請求項３】
前記特定の表示情報とは異なる方向に表示される所定の表示情報の観察を許可された準特定観察者が予め設定された準特定観察者設定部を備え、
前記表示制御部が、前記予め設定された準特定観察者が前記所定の表示情報を観察している場合にのみ前記所定の表示情報を正常に表示するよう制限するものであることを特徴とする請求項２記載の表示装置。
【請求項４】
前記表示部に表示された表示情報を観察する観察者の顔の情報を認識する顔認識部を備え、
前記特定観察者設定部が、前記特定観察者の顔情報が予め設定されたものであり、
前記表示制御部が、前記顔認識部によって認識された観察者の顔情報が、前記予め設定された特定観察者の顔情報のみである場合に、前記特定の表示情報を正常に表示させるものであることを特徴とする請求項２または３記載の表示装置。
【請求項５】
前記表示部に表示された表示情報を観察する観察者の顔の情報を認識する顔認識部を備え、
前記準特定観察者設定部が、前記準特定観察者の顔情報が予め設定されたものであり、
前記表示制御部が、前記顔認識部によって認識された観察者の顔情報の中に前記予め設定された準特定観察者の顔情報が含まれる場合にのみ前記所定の表示情報を正常に表示させるものであることを特徴とする請求項３記載の表示装置。
【請求項６】
前記特定の表示情報に含まれる表示情報であって、前記特定の表示情報とは異なる方向に表示される所定の表示情報に含まれない非表示情報が予め設定された非表示情報設定部を備え、
前記表示制御部が、前記特定の表示情報内に前記非表示情報の部分を示す表示を行うものであることを特徴とする請求項２から５いずれか１項記載の表示装置。
【請求項７】
前記非表示情報の変更を受け付ける非表示情報変更受付部を備えたことを特徴とする請求項６記載の表示装置。
【請求項８】
前記特定の観察者以外の観察者が前記特定の観察者の方へ移動したことを検出する移動検出部を備え、
前記表示制御部が、該移動検出部によって観察者の移動が検出された際、前記特定の表示情報の表示を正常でない状態にするものであることを特徴とする請求項２から７いずれか１項記載の表示装置。
【請求項９】
前記特定の観察者以外の観察者が前記特定の観察者の方へ移動したことを検出する移動検出部と、
該移動検出部によって観察者の移動が検出された際、前記表示部における前記特定の表示情報の表示面の角度を変更する表示面角度変更部とを備えたことを特徴とする請求項２から７いずれか１項記載の表示装置。
【請求項１０】
前記表示部が、複数の前記方向から前記表示情報が見える表示状態から１方向からのみ前記表示情報が見える表示状態に切替可能なものであり、
前記特定の表示情報の表示の制限の解除を受け付ける解除受付部を備え、
前記表示制御部が、前記解除受付部において前記制限の解除が受け付けられた際、前記１方向の表示状態に切り替えるとともに、前記特定の表示情報を表示するものであることを特徴とする請求項２から９いずれか１項記載の表示装置。
【請求項１１】
前記表示部が、前記特定の表示情報を表示する方向の視野角度が、その他の方向の視野角度よりも小さくなるように構成されたものであることを特徴とする請求項２から１０いずれか１項記載の表示装置。
【請求項１２】
前記表示制御部が、前記特定の表示情報のうちの一部の表示情報を前記特定の表示情報とは異なる方向に表示される表示情報として表示させるものであることを特徴とする請求項２から１１いずれか１項記載の表示装置。
【請求項１３】
前記表示制御部が、前記特定の表示情報とは異なる方向に表示される前記一部の表示情報と該一部の情報に対応する前記特定の表示情報の中の表示情報とを互いに異なる表示レイアウトで表示させるものであることを特徴とする請求項１２記載の表示装置。
【請求項１４】
前記表示制御部が、前記特定の表示情報が表示される画面上に前記特定の表示情報の内容を指し示す第１の指標を表示させるとともに、前記一部の表示情報が表示される画面上に前記一部の表示情報の内容を指し示す第２の指標を表示させるものであり、
前記第１の指標により指し示される表示内容と前記第２の指標により指し示される表示内容とが一致するように前記第１の指標と前記第２の指標とを連動させて表示させるものであることを特徴とする請求項１３記載の表示装置。
【請求項１５】
前記表示制御部が、前記一部の表示情報に存在しない表示内容が前記第１の指標により指し示された場合には、前記第２の指標を表示させないようにすることを特徴とする請求項１４記載の表示装置。
【請求項１６】
前記表示制御部が、前記一部の表示情報に存在しない表示内容が前記第１の指標により指し示された場合には、前記第２の指標を予め設定された所定の位置に表示させることを特徴とする請求項１４記載の表示装置。
【発明の詳細な説明】
【技術分野】
【０００１】
本発明は、表示方法および装置に関するものであり、特に、互いに異なる表示情報をそれぞれ異なる方向から見えるように表示する表示方法および装置に関するものである。
【背景技術】
【０００２】
従来、病院において問診などを行う際、たとえば放射線撮影情報、超音波画像撮影情報心電図などの患者の診断に要する情報をモニタ上に表示させ、医者と患者が一緒にその表示を見ながら医者が患者に対して説明などを行う場面がある。
【０００３】
このような場面において、モニタに表示される情報としては、医師にとっては必要な情報であるが、患者にとっては必要のない情報や、患者には見せない方が良い情報や、患者には容易に理解できない情報なども含まれている。
【０００４】
そこで、たとえば、特許文献１には、モニタ上に表示される情報を医師診断用と患者説明用とで切り替え可能にし、医師診断用の表示の際には、医師に必要な情報を表示し、患者説明用の表示の際には、医師診断用の情報を患者とって容易に理解できる情報に変換して表示したり、患者には知らせたくない薬品名をダミーの薬品名に置き換えて表示させたりする方法が提案されている。
【先行技術文献】
【特許文献】
【０００５】
【特許文献１】特開平８−２７２８６１号公報
【特許文献２】特開２００９−３１６９２号公報
【発明の概要】
【発明が解決しようとする課題】
【０００６】
しかしながら、このように表示を切り替えるようにしたのでは、その切り替え作業が煩雑であり、患者説明用の表示の際に、上記のようにダミーの情報に置き換えるようにしたのでは、元の情報が何だったのかを表示を切り替えなければ認識することができず、医師にとっては非常に使いづらいものである。
【０００７】
また、モニタに表示される情報には、たとえば、医師や放射線技師などのコメントなどが含まれることがあるが、このような情報には患者には見せられない情報もあり、特許文献１に記載の装置では、このような情報が患者説明用の表示に含まれてしまうおそれがある。
【０００８】
また、患者には見せたくない情報を隠した状態でモニタに表示することも考えられるが、このようにした場合も、医師の診断にとって必要な情報も隠されて表示されてしまい、確度のある問診ができない場合があり得る。
【０００９】
また、特許文献２には、デュアルビュー表示装置を用いて、医師と患者が対面からその装置を囲んで行うインフォームドコンセントの支援を行うことが提案されている。
【００１０】
しかしながら、特許文献２においては、患者には見せたくない情報の表示方法については何の提案もなされておらず、たとえば、患者が医師側の表示を覗き込んだ場合には、患者には見せたくない情報を見られてしまうおそれがある。
【００１１】
本発明は、上記の事情に鑑み、たとえば、問診などにおいて医者と患者に対してそれぞれ必要な情報のみを表示することができるとともに、患者に見せたくない表示情報については、予め設定された医師のみが観察することができる表示方法および装置を提供することを目的とする。
【課題を解決するための手段】
【００１２】
本発明の表示方法は、互いに異なる表示情報がそれぞれ異なる方向から見えるように表示可能にし、互いの異なる表示情報のうちの特定の表示情報の観察を許可された観察者を予め設定し、予め設定した観察者のみによって特定の表示情報が正常に観察可能なように特定の表示情報の表示を制限することを特徴とする。
【００１３】
本発明の表示装置は、互いに異なる表示情報がそれぞれ異なる方向から見えるように表示可能な表示部と、互いの異なる表示情報のうちの特定の表示情報の観察を許可された特定観察者が予め設定された特定観察者設定部と、予め設定された特定観察者のみによって特定の表示情報が正常に観察されるように特定の表示情報の表示を制限する表示制御部とを備えたことを特徴とする。
【００１４】
また、上記本発明の表示装置においては、特定の表示情報とは異なる方向に表示される所定の表示情報の観察を許可された準特定観察者が予め設定された準特定観察者設定部を設け、表示制御部を、予め設定された準特定観察者が所定の表示情報を観察している場合にのみ所定の表示情報を正常に表示するよう制限するものとすることができる。
【００１５】
また、表示部に表示された表示情報を観察する観察者の顔の情報を認識する顔認識部を設け、特定観察者設定部を、特定観察者の顔情報が予め設定されたものとし、表示制御部を、顔認識部によって認識された観察者の顔情報が、予め設定された特定観察者の顔情報のみである場合に、特定の表示情報を正常に表示させるものとできる。
【００１６】
また、表示部に表示された表示情報を観察する観察者の顔の情報を認識する顔認識部を設け、準特定観察者設定部を、準特定観察者の顔情報が予め設定されたものとし、表示制御部を、顔認識部によって認識された観察者の顔情報の中に予め設定された準特定観察者の顔情報が含まれる場合にのみ所定の表示情報を正常に表示させるものとできる。
【００１７】
また、特定の表示情報に含まれる表示情報であって、特定の表示情報とは異なる方向に表示される所定の表示情報に含まれない非表示情報が予め設定された非表示情報設定部を設け、表示制御部を、特定の表示情報内に非表示情報の部分を示す表示を行うものとできる。
【００１８】
また、非表示情報の変更を受け付ける非表示情報変更受付部を設けることができる。
【００１９】
また、特定の観察者以外の観察者が特定の観察者の方へ移動したことを検出する移動検出部を設け、表示制御部を、移動検出部によって観察者の移動が検出された際、特定の表示情報の表示を正常でない状態にするものとできる。
【００２０】
また、特定の観察者以外の観察者が特定の観察者の方へ移動したことを検出する移動検出部と、移動検出部によって観察者の移動が検出された際、表示部における特定の表示情報の表示面の角度を変更する表示面角度変更部とを設けることができる。
【００２１】
また、表示部を、複数の方向から表示情報が見える表示状態から１方向からのみ表示情報が見える表示状態に切替可能なものとし、特定の表示情報の表示の制限の解除を受け付ける解除受付部を設け、表示制御部を、解除受付部において制限の解除が受け付けられた際、１方向の表示状態に切り替えるとともに、特定の表示情報を表示するものとできる。
【００２２】
また、表示部を、特定の表示情報を表示する方向の視野角度が、その他の方向の視野角度よりも小さくなるように構成されたものとできる。
【００２３】
また、表示制御部を、特定の表示情報のうちの一部の表示情報を特定の表示情報とは異なる方向に表示される表示情報として表示させるものとできる。
【００２４】
また、表示制御部を、特定の表示情報とは異なる方向に表示される一部の表示情報と該一部の情報に対応する特定の表示情報の中の表示情報とを互いに異なる表示レイアウトで表示させるものとできる。
【００２５】
また、表示制御部を、特定の表示情報が表示される画面上に特定の表示情報の内容を指し示す第１の指標を表示させるとともに、一部の表示情報が表示される画面上に一部の表示情報の内容を指し示す第２の指標を表示させるものであり、第１の指標により指し示される表示内容と第２の指標により指し示される表示内容とが一致するように第１の指標と第２の指標とを連動させて表示させるものとできる。
【００２６】
また、表示制御部を、一部の表示情報に存在しない表示内容が第１の指標により指し示された場合には、第２の指標を表示させないようにすることができる。
【００２７】
また、表示制御部を、一部の表示情報に存在しない表示内容が第１の指標により指し示された場合には、第２の指標を予め設定された所定の位置に表示させるようにできる。
【発明の効果】
【００２８】
本発明の表示方法および装置によれば、互いに異なる表示情報がそれぞれ異なる方向から見えるように表示可能にし、互いの異なる表示情報のうちの特定の表示情報の観察を許可された観察者を予め設定し、予め設定した観察者のみによって特定の表示情報が正常に観察可能なように特定の表示情報の表示を制限するようにしたので、互いに必要とする表示情報が異なる観察者に対して、それぞれの観察者が必要な情報のみを表示することができるとともに、一方の観察者に見せたくない表示情報については、他方の観察者のみが観察することができる。
【００２９】
具体的には、たとえば、問診などにおいて医者と患者に対してそれぞれ必要な情報のみを表示することができるとともに、患者に見せたくない表示情報については、予め設定された医師のみが観察することができる。
【図面の簡単な説明】
【００３０】
【図１】本発明の表示装置の一実施形態を用いた放射線撮影情報表示システムの概略構成図
【図２】図１に示すモニタを上方から見た図
【図３】本発明の表示装置の一実施形態を用いた放射線撮影情報表示システムの作用を説明するためのフローチャート
【図４】本発明の表示装置の一実施形態を用いた放射線撮影情報表示システムの作用を説明するためのフローチャート
【図５】モニタのＡ方向に表示される放射線撮影情報とＢ方向に表示される放射線撮影情報の一例を示す図
【図６】本発明の表示装置のその他の実施形態を説明するための図
【図７】本発明の表示装置のその他の実施形態を用いた放射線撮影情報表示システムの概略構成を示す図
【図８】第３のカメラによって撮影される中間領域内の患者の移動に応じた表示制御を説明するための図
【図９】本発明の表示装置のその他の実施形態のモニタの画面の動きを説明するための図
【図１０】Ａ方向の視野角度をＢ方向の視野角度よりも狭くした例を説明するための図
【図１１】トリプルビュー表示の例を説明するための図
【図１２】２つのモニタを用いた例を説明するための図
【発明を実施するための形態】
【００３１】
以下、図面を参照して本発明の表示装置の一実施形態を用いた放射線撮影情報表示システムについて説明する。図１は、本実施形態の放射線撮影情報表示システム１の概略構成図である。
【００３２】
本実施形態の放射線撮影情報表示システム１は、図１に示すように、放射線撮影情報を表示するモニタ１０と、モニタ１０の上部に設けられた医師認識用の第１のカメラ１１および患者認識用の第２のカメラ１２と、モニタ１０における放射線撮影情報の表示を制御する制御部２０と、患者の放射線撮影情報が予め保存された放射線撮影情報保存部３０と、種々の情報の入力を受け付ける入力部４０とを備えている。
【００３３】
モニタ１０は、互いに異なる表示内容の放射線撮影情報をそれぞれ異なる方向から観察できるように構成されたものである。図２はモニタ１０を上方から見た図である。本実施形態のモニタ１０は、図２に示すように、医師が配置されるＡ方向と患者が配置されるＢ方向とにそれぞれ表示内容が異なる放射線撮影情報を表示可能に構成されている。図２に示す実線の矢印は、モニタ１０のＡ方向の視野角度を示しており、図２に示す破線の矢印は、モニタ１０の視野角度を示している。
【００３４】
モニタ１０は、図２に示すように視野角度が設定されることによって、Ａ方向に表示される放射線撮影情報はＢ方向に存在する患者には観察できないようになっており、Ｂ方向に表示される放射線撮影情報はＡ方向に存在する患者には観察できないように構成されている。
【００３５】
このように互いに異なる方向に互いに異なる表示内容を表示させるモニタ１０としては、いわゆるデュアルビューディスプレイを用いることができる。デュアルビューディスプレイとしては、たとえば、１つの表示画面と視差バリアとを備えたものがある。そして、表示画面は複数の画素列が配列されたものであり、交互に配列された画素列がそれぞれ異なる表示内容を表示可能に構成されている。また、視差バリアは、表示画面全面に設けられ、１画素列間隔で配置された画素列からなる第１の画素列群の表示内容を一方の方向にのみ透過させる第１の透過部と、第１の画素列群の各画素列の間に配置された画素列からなる第２の画素列群の表示内容を他方の方向にのみ透過させる第２の透過部とから構成されたものである。
【００３６】
したがって、第１の画素列群の表示内容は、第１の透過部を透過するため上記一方の方向にいる観察者には視認されるが、第１の画素列群の表示内容は、第２の透過部には遮られるため、上記他方の方向にいる観察者には視認されないことになる。一方、第２の画素列群の表示内容は、第２の透過部を透過するため上記他方の方向にいる観察者には視認されるが、第２の画素列群の表示内容は、第１の透過部には遮られるため、上記一方の方向にいる観察者には視認されないことになる。
【００３７】
なお、デュアルビューディスプレイの構成については、上記の構成以外のものも用いることができるが、既に公知であるので詳細な説明は省略する。
【００３８】
制御部２０は、図１に示すように、表示制御部２１と、特定観察者設定部２２と、準特定観察者設定部２３と、非表示撮影情報設定部２４と、顔情報認識部２５とを備えている。
【００３９】
表示制御部２１は、モニタ１０のＡ方向に表示される放射線撮影情報とＢ方向に表示される放射線撮影情報とをモニタ１０に出力するものであるとともに、顔情報認識部２５によって認識された結果に基づいて、Ａ方向への放射線撮影情報の表示またはＢ方向への放射線撮影情報の表示を制御するものである。
【００４０】
特定観察者設定部２２は、予め医師の顔情報が設定されたものである。特定観察者設定部２２に設定される顔情報は、予め入力部４０から入力されて登録されるものであり、随時変更することが可能である。
【００４１】
準特定観察者設定部２３は、予め医師、患者および患者の家族（以下、患者関係者という）の顔情報が設定されたものである。準特定観察者設定部２３に設定される顔情報は、予め入力部４０から入力されて登録されるものであり、随時変更することが可能である。また、患者の顔情報については、たとえば、放射線撮影情報保存部３０に保存されている各患者の放射線撮影情報にそれぞれ含ませるようにし、医師の指示によって放射線撮影情報保存部３０から読み出された放射線撮影情報から患者の顔情報を抽出して準特定観察者設定部２３に設定登録するようにしてもよい。
【００４２】
非表示撮影情報設定部２４は、Ａ方向に表示される放射線撮影情報に含まれる情報であって、Ｂ方向に表示される放射線撮影情報には含まれない非表示撮影情報が予め設定されたものである。表示制御部２１は、この非表示撮影情報設定部２４に設定された非表示撮影情報に基づいてＢ方向に表示される放射線撮影情報の内容を設定し、その内容をモニタ１０に出力するものである。
【００４３】
また、非表示撮影情報設定部２４に設定される非表示撮影情報は、入力部４０から入力されて設定されるものであり、医師によって随時変更可能なものである。
【００４４】
顔情報認識部２５は、第１のカメラ１１および第２のカメラ１２によって撮影された撮影画像をそれぞれ取得し、各撮影画像内における顔情報を認識して表示制御部２１に出力するものである。なお、撮影画像内における顔情報を認識する方法については、既に公知であるので詳細な説明は省略する。
【００４５】
放射線撮影情報保存部３０は、複数の患者の放射線撮影情報が予め設定されたものである。そして、放射線撮影情報保存部３０に保存された放射線撮影情報は、制御部２０によって読み出される。制御部２０は、入力部４０において医師によって入力された患者情報に基づいて、その患者に対応する放射線撮影情報を読み出すものである。なお、放射線撮影情報の詳細については、後で詳述する。
【００４６】
入力部４０は、種々の入力を受け付けるものであるが、本実施形態においては、特に、患者関係者の顔情報や、Ｂ方向に表示される放射線撮影情報には含まれない非表示撮影情報や、モニタ１０に表示する放射線撮影情報の患者情報などの入力を受け付けるものである。
【００４７】
第１のカメラ１１は、モニタ１０のＡ方向の表示の視野角度と同等の視野角で撮影を行うものであり、第２のカメラ１２は、モニタ１０のＢ方向の表示の視野角度と同等の視野角で撮影を行うものである。そして、第１のカメラ１１および第２のカメラ１２によって撮影された撮影画像は、顔情報認識部２５に入力されるものである。第１のカメラ１１と第２のカメラ１２としては、たとえばＣＣＤセンサーやＣＭＯＳセンサーなどを備え、リアルタイムな撮影が可能なものを用いるようにすればよい。
【００４８】
次に、本実施形態の放射線撮影情報表示システムの作用について、図３に示すフローチャートを参照しながら説明する。
【００４９】
まず、図２に示すように、モニタ１０の前に医師と患者とが配置される（Ｓ１０）。そして、医師によって入力部４０を用いて患者情報が入力される（Ｓ１２）。入力された患者情報は、表示制御部２１に入力され、表示制御部２１は、入力された患者情報に対応する放射線撮影情報を放射線撮影情報保存部３０から読み出して取得する（Ｓ１４）。
【００５０】
一方、このとき医師認識用の第１のカメラ１１による撮影が行われ、その撮影画像は顔情報認識部２５に入力される（Ｓ１６）。そして、顔情報認識部２５において、撮影画像中における顔情報が認識され、その認識された顔情報は表示制御部２１に出力される。
【００５１】
そして、表示制御部２１は、顔情報認識部２５から出力された顔情報と特定観察者設定部２２に予め設定された医師の顔情報とを比較し、顔情報認識部２５から出力された顔情報が、特定観察者設定部２２に予め設定された医師の顔情報のみであるか否かを判別する（Ｓ１８）。
【００５２】
そして、表示制御部２１は、顔情報認識部２５から出力された顔情報が予め設定された医師の顔情報と一致しない場合、もしくは顔情報認識部２５から出力された複数の顔情報の中に予め設定された医師の顔情報が含まれているが、その複数の顔情報の中に予め設定された医師の顔情報以外の顔情報も含まれている場合には、モニタ１０のＡ方向の表示は行わない（Ｓ２０）。
【００５３】
一方、表示制御部２１は、顔情報認識部２５から出力された顔情報が、予め設定された医師の顔情報のみである場合には、Ｓ１４で取得した患者情報に対応する放射線撮影情報をモニタ１０に出力し、モニタ１０のＡ方向に放射線撮影情報を表示させる（Ｓ２２）。
【００５４】
ここで、図５の左側に、Ａ方向に表示される放射線撮影情報の一例を示す。本実施形態においては、放射線撮影情報保存部３０に保存される放射線撮影情報は、図５に示すように、患者の名前、年齢性別、過去の病気、アレルギー情報、過去に罹った病名やその日付、およびこれまで受けた放射線撮影による累積放射線被曝量などの患者情報と、その患者の現在の病名と、患者の診断画像と、患者に使用されている薬と、その患者の今後の診断計画と、Ａ方向の表示用の書き込み欄と、Ａ方向とＢ方向の表示用の書き込み欄とを含んでいる。
【００５５】
なお、患者の放射線画像については、撮影された放射線画像そのものである診断画像Ａと、撮影された放射線画像に対して、患者観察用に処理を施した診断画像Ｂとが含まれる。診断画像Ｂとしては、たとえば、患者が自分の病名（たとえば、癌など）を認識できないようなものとすることができ、たとえば、撮影された放射線画像に対して解像度を下げる処理を施したものを用いることができる。
【００５６】
また、Ａ方向の表示用の書き込み欄は、放射線画像の撮影時や問診時において放射線技師や医師などによって書き込まれたコメントを表示する欄であって、ここの欄には主に患者には見せない方がよいコメントが書き込まれる。また、Ａ方向とＢ方向の表示用の書き込み欄も同様に、放射線画像の撮影時や問診時において放射線技師や医師などによって書き込まれたコメントを表示する欄であるが、ここの欄には患者には見せても特に問題ないコメントが書き込まれる。
【００５７】
また、本実施形態においては、放射線撮影情報に上述したような情報を含めるようにしたが、これらの情報の削除や変更、もしくは上記情報以外のものを追加するようにしてもよい。放射線撮影情報の削除、変更または追加は、入力部４０からも可能であるとする。
【００５８】
そして、上述したようにモニタ１０のＡ方向に患者の放射線撮影情報が全て表示された後、医師によって放射線撮影情報の一部のみを患者へ見せたいか否か、すなわちＡ方向に表示された放射線撮影情報の一部のみをＢ方向へ表示させるか否かが判断される（Ｓ２４）。
【００５９】
そして、医師によって放射線撮影情報の一部のみをＢ方向へ表示させたいと判断された場合には、Ａ方向に表示された放射線撮影情報のうちのＢ方向へ表示される一部の放射線撮影情報の内容が医師によって確認される（Ｓ２６）。
【００６０】
ここで、このときＡ方向に表示されている放射線撮影情報においては、図５に示すように、患者には見せない方がよい放射線撮影情報、すなわちＢ方向には表示されない非表示撮影情報に対して網かけ表示が施される。この非表示撮影情報については、非表示撮影情報設定部２４に予め設定されており、表示制御部２１は、この予め設定された非表示撮影情報に基づいて網かけ表示を行う。
【００６１】
なお、本実施形態においては、非表示撮影情報を網かえ表示するようにしたが、これに限らず、非表示撮影情報を判別できる表示方法であればその他の表示方法を採用してもよく、たとえば、もし患者にみられた場合でも一瞬見ただけではわからないように非表示撮影情報だけ濃度を薄くして表示するようにしてもよい。
【００６２】
そして、この網かけ表示を見ることによって、医師により現在設定されている非表示撮影情報の内容が確認され、その内容で問題がある場合には（Ｓ２８，ＮＯ）、医師によって入力部４０を用いて非表示撮影情報の変更が行われる（Ｓ３０）。
【００６３】
そして、医師により現在設定されている非表示撮影情報の内容が確認され、その内容で問題ない場合には（Ｓ２８，ＹＥＳ）、医師によって入力部４０を用いてＢ方向への表示の許可ボタンが押下される（Ｓ３２）。
【００６４】
次に、上述したように医師によってＢ方向への表示が許可された場合には、患者認識用の第２のカメラ１２による撮影が行われ、その撮影画像は顔情報認識部２５に入力される（Ｓ３４）。そして、顔情報認識部２５において、撮影画像中における顔情報が認識され、その認識された顔情報は表示制御部２１に出力される。
【００６５】
そして、表示制御部２１は、顔情報認識部２５から出力された顔情報と準特定観察者設定部２３に予め設定された患者関係者の顔情報とを比較し、顔情報認識部２５から出力された顔情報の中に患者関係者の顔情報が含まれているか否かを判別する（Ｓ３６）。
【００６６】
そして、表示制御部２１は、顔情報認識部２５から出力された顔情報の中に患者関係者の顔情報が含まれていない場合には、モニタ１０のＢ方向の表示は行わない（Ｓ３８）。
【００６７】
一方、表示制御部２１は、顔情報認識部２５から出力された顔情報の中に患者関係者の顔情報が含まれている場合には、モニタ１０のＢ方向に、Ａ方向に表示された放射線撮影情報のうち非表示撮影情報を除く放射線撮影情報を表示させる（Ｓ４０）。図５の右側に、Ｂ方向に表示される放射線撮影情報の一例を示す。
【００６８】
なお、このときＡ方向に表示された放射線撮影情報から非表示撮影情報を間引いたような表示レイアウトでは、患者に不安感を与えるので、図５の右側に示すように、放射線撮影情報を無駄な間隔を空けることなく表示するなどして表示レイアウトを変更することが望ましい。
【００６９】
また、表示レイアウトの変更方法については、上述したような変更方法に限らず、患者に対して不自然な印象を与えない表示レイアウトであれば如何なる表示レイアウトを採用してもよい。
【００７０】
ただし、上記のようにＡ方向とＢ方向とで表示レイアウトを変える場合には、たとえば、モニタ１０のＡ方向の表示画面とＢ方向の表示画面とにカーソルなどの指標を表示させ、医師がカーソルを動かしながら説明をする場合においては、図５に示すように、Ａ方向に表示された放射線撮影情報においてカーソルＣＡによって指摘されている内容と、Ｂ方向に表示された放射線撮影情報においてカーソルＣＢによって指摘されている内容とが一致するようにカーソルＣＡとカーソルＣＢとを連動させて移動させることが望ましい。そして、Ａ方向に表示された放射線撮影情報においてカーソルＣＡによって指摘された内容が、Ｂ方向に表示された放射線撮影情報に存在しない場合には、Ｂ方向の表示画面のカーソルＣＢの表示を消滅させるか、もしくは予め設定された所定の復帰位置に移動させるようにすればよい。
【００７１】
一方、Ｓ２４に戻り、ここで、医師によってＢ方向についてもＡ方向と同じ放射線撮影情報を表示しても問題ないと判断された場合には（Ｓ２４，ＮＯ、Ｓ４２，ＹＥＳ）、Ｓ３２に進み、医師によって入力部４０を用いてＢ方向への表示の許可ボタンが押下される（Ｓ３２）。
【００７２】
そして、医師によってＢ方向への表示が許可された場合には、上記と同様にして、患者認識用の第２のカメラ１２による撮影が行われ、その撮影画像の中の顔情報と準特定観察者設定部２３に予め設定された患者関係者の顔情報とが比較され、撮影画像の中に患者関係者の顔情報が含まれているか否かが判別される（Ｓ３６）。
【００７３】
そして、表示制御部２１は、第２のカメラ１２の撮影画像の顔情報の中に患者関係者の顔情報が含まれていない場合には、モニタ１０のＢ方向の表示は行わず（Ｓ３８）、患者関係者の顔情報が含まれている場合には、モニタ１０のＢ方向に、Ａ方向に表示された放射線撮影情報と同じ放射線撮影情報を表示させる（Ｓ４０）。
【００７４】
一方、Ｓ２４に戻り、ここで、医師によってＢ方向については放射線撮影情報を表示する必要がないと判断された場合には（Ｓ２４，ＮＯ、Ｓ４２，ＮＯ）、モニタ１０のＢ方向の表示は行わない（Ｓ４４）。
【００７５】
また、上記実施形態のＳ２４において、医師によってＢ方向についてもＡ方向と同じ放射線撮影情報を表示しても問題ないと判断された場合には、医師が入力部４０を用いて許可ボタンを押下することによってＡ方向またはＢ方向の１方向のみへの表示に切り替え、その１方向へＡ方向に表示されていた放射線撮影情報を表示するようにしてもよい。
【００７６】
また、上記実施形態において、図６および図７に示すように、Ａ方向の表示領域とＢ方向の表示領域との間の中間領域が少なくとも含まれるような視野角度で撮影を行う第３のカメラ１３と、この第３のカメラ１３によってリアルタイムに撮影された撮影画像に基づいて、患者が医者の方へ向って移動し、図６に示す中間領域に侵入してきたことを検出する中間領域移動検出部２６とをさらに設けるようにしてもよい。そして、中間領域移動検出部２６によって患者が中間領域に侵入してきたことが検出された際には、表示制御部２１が、モニタ１０のＡ方向に表示されている放射線撮影情報を全て非表示にする、またはＡ方向に表示されている放射線撮影情報のうちの非表示撮影情報のみを非表示にする、またはＡ方向の表示をＢ方向に表示されている放射線撮影情報に切り替えるようにしてもよい。なお、Ａ方向に表示されている放射線撮影情報のうちの非表示撮影情報のみを非表示にする方法としては、非表示撮影情報のみを消滅させるようにしてもよいし、その他の表示によって非表示撮影情報を覆い隠すようにしてもよい。
【００７７】
また、中間領域移動検出部２６において、図８に示すように第３のカメラ１３によって撮影された中間領域の撮影画像を複数の領域に分割し、たとえば、患者がＤ１〜Ｄ４の領域の撮影画像に写ったときには、医者に対して患者が近づいてきていることを示す旨を報知し、患者がＢ１〜Ｂ４の領域に写ったときにＡ方向に表示されている放射線撮影情報を全て非表示などするようにしてもよい。
【００７８】
また、Ｄ１〜Ｄ４領域に患者が写った時点からＣ１〜Ｃ４領域に患者が写った時点までの間隔が所定の閾値よりも短い場合には、患者の移動速度が速い可能性があるので、このような場合には、Ｃ領域に患者が写ったときにＡ方向に表示されている放射線撮影情報を全て非表示などするようにしてもよい。
【００７９】
また、中間領域移動検出部２６によって患者が中間領域に侵入してきたことが検出された際には、図９に示すようにモニタ１０の表示面１０ａの角度を自動的に変えて患者が中間領域に存在しないようにするモニタ面角度変更機構を設けるようにしてもよい。また、患者が中間領域に侵入してきたことが複数回検出されたときにモニタ１０の表示面１０ａの角度を変えるようにしてもよい。
【００８０】
また、上記実施形態において、モニタ１０のＡ方向に放射線撮影情報が表示されている状態において、第１のカメラ１１によりリアルタイムで撮影された撮影画像内に、予め設定された医師の顔情報以外の顔情報が現れた場合には、表示制御部２１が、モニタ１０のＡ方向に表示されている放射線撮影情報を全て非表示にする、またはＡ方向に表示されている放射線撮影情報のうちの非表示撮影情報のみを非表示にする、もしくはＡ方向の表示をＢ方向に表示されている放射線撮影情報に切り替えるようにしてもよい。
【００８１】
また、上記実施形態においては、モニタ１０のＡ方向の視野角度とＢ方向の視野角度とを同程度とするようにしたが、これに限らず、図１０に示すように、モニタ１０のＡ方向の視野角度の方がＢ方向の視野角度よりも狭くなるようにしてもよい。このように視野角度を設定することによって、より患者にＡ方向に表示された非表示撮影情報を見難くすることができる。
【００８２】
また、上記実施形態においては、モニタ１０の表示方向をＡ方向とＢ方向との２つの方向としたが、たとえば、モニタ１０としてトリプルビューディスプレイを使用し、図１１に示すように、Ａ方向とＢ方向との間のＣ方向についても放射線撮影情報を表示するようにしてもよい。なお、このときにはＣ方向に表示する放射線撮影情報は、Ｂ方向に表示する放射線撮影情報と同じにすることが望ましい。このように表示することによって、患者以外の患者の家族なども放射線撮影情報を観察することがし易くなる。
【００８３】
また、上述したようなトリプルビューディスプレイを用いる場合には、たとえば、上記実施形態のＳ２４において、医師によって患者が放射線撮影情報の全てを見ても問題ないと判断された場合において、医師が入力部４０を用いて許可ボタンを押下することによってＡ方向、Ｂ方向、またはＣ方向の１方向のみへの表示に切り替え、その１方向へＡ方向に表示されていた放射線撮影情報を表示するようにしてもよい。また、医師が入力部４０を用いて許可ボタンを押下することによってＢ方向およびＣ方向のみへの表示に切り替え、その方向へＡ方向に表示されていた放射線撮影情報を表示するようにしてもよい。
【００８４】
また、上記実施形態においては、モニタ１０としてデュアルビューディスプレイを用いてＡ方向とＢ方向との表示を行うようにしたが、これに限らず、たとえば、図１２に示すように、医師の方向に表示面を向けた第１のモニタ５０と、患者の方向に表示面を向けた第２のモニタ５１との２つのモニタを用いて、上記実施形態のようなＡ方向の表示とＢ方向の表示とを行うようにしてもよい。なお、このように構成する場合、第１のモニタ５０の視野角度の方が第２のモニタ５１の視野角度よりも狭くすることが望ましい。
【００８５】
また、上記実施形態においては、医師の顔情報を認識することによってＡ方向への放射線撮影情報の表示を制御し、患者関係者の顔情報を認識することによってＢ方向への放射線撮影情報の表示を制御するようにしたが、顔情報の認識に限らず、たとえば、医師や患者関係者の指紋認証を行うことによってＡ方向およびＢ方向への放射線撮影情報の表示の制御を行うようにしてもよいし、医師のみに属する利用者番号とパスワードや患者関係者のみに属する利用者番号およびパスワードによる認証、または医師のみが所有するＩＣカードや患者関係者のみが所有するＩＣカードによる認証を行うことによって、Ａ方向およびＢ方向への放射線撮影情報の表示の制御を行うようにしてもよい。
【００８６】
また、上記実施形態においては、Ｂ方向への表示を行う際、第２のカメラ１２によって撮影された撮影画像の中に患者関係者の顔情報が含まれる場合に、Ｂ方向への放射線撮影情報の表示を許可するようにしたが、患者以外の患者関係者の顔情報が含まれていたとしても、患者の顔情報が含まれない場合には、Ｂ方向への放射線撮影情報の表示を許可しないようにしてもよい。すなわち、患者の顔情報が含まれている場合にのみ、Ｂ方向への放射線撮影情報の表示を許可するようにしてもよい。
【００８７】
また、患者に見られてもわからなくするという点では、非表示撮影情報は、患者にはわからないような病院内だけで認識できる表現として表示するようにしてもよい。
【００８８】
また、上記実施形態において、Ｂ方向に表示される放射線撮影情報の中に医師には理解できるが、専門家ではない患者には理解が困難な情報が含まれる場合には、インフォームドコンセントの観点から、放射線撮影情報を患者に理解できるような内容に変換して表示するようにしてもよい。
【００８９】
たとえば、薬品名などについては、詳細な情報が、一般の患者にも判り易い表現で表示したりしてもよい。たとえば、薬品名とともに薬品の外見写真、薬品の説明および副作用情報を表示したりしてもよい。また、たとえば、放射線撮影情報の中に検査項目が含まれる場合には、その検査項目の内容や目的などを表示したりしてもよい。
【００９０】
なお、上述したようにＢ方向に表示される放射線撮影情報の変換を行う場合には、たとえば、Ａ方向に表示される放射線撮影情報の内容とＢ方向に表示される放射線撮影情報の患者用の表示内容とを対応付けてデータベースなどに保存しておき、このデータベースを用いて変換を行うようにすればよい。
【００９１】
また、上記実施形態においては、モニタ１０に放射線撮影情報を表示させるようにしたが、モニタ１０に表示させる表示対象としては放射線撮影情報に限らず、たとえば、超音波画像撮影情報や心電図情報などを表示させる際にも、上記実施形態と同様のことを行うことができる。
【符号の説明】
【００９２】
１     放射線撮影情報表示システム
１０   モニタ
１０ａ 表示面
１１   第１のカメラ
１２   第２のカメラ
１３   第３のカメラ
２０   制御部
２１   表示制御部
２２   特定観察者設定部
２３   準特定観察者設定部
２４   非表示撮影情報設定部
２５   顔情報認識部
２６   中間領域移動検出部
３０   放射線撮影情報保存部
４０   入力部
【図１】
2012042717.tif 000003
【図２】
2012042717.tif 000004
【図３】
2012042717.tif 000005
【図４】
2012042717.tif 000006
【図５】
2012042717.tif 000007
【図６】
2012042717.tif 000008
【図７】
2012042717.tif 000009
【図８】
2012042717.tif 000010
【図９】
2012042717.tif 000011
【図１０】
2012042717.tif 000012
【図１１】
2012042717.tif 000013
【図１２】
2012042717.tif 000014